(57)【要約】【課題】夜間やトイレなどの暗い場所でも各種設定状況の表示内容を明瞭に見ることができ、かつ消費電力を節減し、耐用寿命を延ばすことができる局部洗浄用操作装置の提供を目的とする。【解決手段】開閉自在な蓋体１９は、閉状態では蓋体１９に設けられた突起１９ａによってラバー１９ｂを押し、更に検出スイッチ１９ｃが押されて検出スイッチはＯＮ状態となっている。蓋体１９が開成状態になると、突起１９ａがラバー１９ｂから離れ、検出スイッチ１９ｃを押しているいるラバー１９ｂが弾性力で検出スイッチ１９ｃから離れ、検出スイッチがＯＦＦ状態となる。つまり、検出スイッチ１９ｃがＯＦＦ状態になると、蓋体１９が開成状態であると判断され、バックライト装置２１ｃが液晶表示部２１ａを照射する。【選択図】　図５
2004116120.tif 000002
【特許請求の範囲】
【請求項１】
便器上に設置された局部洗浄装置を操作する操作装置であって、各種の設定状況を示す液晶表示部と、該液晶表示部を裏面から照射するバックライト装置と前記液晶表示部を覆う開閉自在な蓋体と、該蓋体の開成状態を検出するスイッチとを備え、前記蓋体が開成状態になると、前記液晶表示部をバックライト装置にて点灯開始させることを特徴とする局部洗浄用操作装置。
【請求項２】
請求項１記載の局部洗浄用操作装置において、前記液晶表示部がバックライト装置にて一定時間だけ点灯されると、前記バックライト装置をオフにするタイマーを備えたことを特徴とする局部洗浄用操作装置。
【請求項３】
請求項１記載の局部洗浄用操作装置において、前記開閉自在な蓋体の外面に少なくとも局部洗浄を指示する操作釦が配設された第１操作部と前記開閉自在な蓋体内の収納部に設けられた局部洗浄以外の機能の操作釦が配設された第２操作部とを備え、前記第１の操作部と第２の操作部を操作した場合では、前記液晶表示部の点灯状態とは、それぞれが異なることを特徴とする局部洗浄用操作装置。
【請求項４】
請求項３記載の局部洗浄用操作装置において、前記第２の操作部は、前記第１の操作部よりもバックライトの点灯時間が長いことを特徴とする局部洗浄用操作装置。
【請求項５】
請求項３乃至４記載の局部洗浄用操作装置において、前記第１の操作部と第２の操作部ではバックライトの点灯色が異なることを特徴とする局部洗浄用操作装置。
【発明の詳細な説明】
【０００１】
【発明の属する技術分野】
本発明は、便器に対し開閉自在の便座及び便蓋と、局部洗浄、温風乾燥等の各機構を操作するための操作装置に関するものである。
【０００２】
【従来の技術】
従来の局部洗浄用操作装置の表示部には、消費電力が少ないことから液晶（ＬＣＤ）や発光ダイオード（ＬＥＤ）を用い、操作時のみ瞬間的に発光させるものが知られている。或いは、液晶表示部を明るくし視認性を高めるため、スイッチ操作時に液晶表示部をバックライト装置にて点灯させるものもある。
バックライトを備えた操作装置は、バックライトの点灯にて電力消費が大きく、バックライトの点灯を制限するために、バックライトの点灯／消灯の時間帯を設定できるようにする液晶付きリモコンに関する省エネルギー技術もある（例えば、特許文献１参照）。
【０００３】
【特許文献１】
特開平２−８０８１１号公報
【０００４】
【発明が解決しようとする課題】
しかしながら、発光ダイオードを用いた表示部は自己発光するので明るく見やすいが、消費電力が大きく電池の消耗度が高く、そのため電池の交換時期が短くなり保守に手間がかかるという問題があった。また、液晶を用いた表示部は外部の光を利用して表示するため消費電力は小さいが、夜間等の暗い状況、トイレ内のように一般的に暗い状況では外光が不足して表示内容を視認し難いという欠点があった。また、スイッチ操作時に液晶表示部をバックライト装置にて点灯させるものでは、使用者がスイッチを操作してから表示部が点灯されるため、使用前の段階で各種設定状況等の本来先に知っておきたい情報が視認し難く、使い勝手を悪くしていた。また、バックライトの点灯を時間帯の設定にて行うものでは、設定時間帯中は常時点灯するため使用していない場合でも消費電力を無駄に使うことになり、設定時間帯を外れていれば要使用時であってもバックライトは点灯せず表示内容は視認し難い状態のままとなり、使い勝手が良くないことがしばしば起きる。
【０００５】
本発明は、上記課題を解決するためになされたもので、夜間やトイレなどの暗い場所でも各種設定状況の表示内容を明瞭に見ることができ、かつ消費電力を節減し、耐用寿命を延ばすことができる局部洗浄用操作装置の提供を目的とする。
【０００６】
【課題を解決するための手段及び作用、効果】
上記課題を解決するために請求項１記載の発明では、便器上に設置された局部洗浄装置を操作する操作装置であって、各種の設定状況を示す液晶表示部と、該液晶表示部を裏面から照射するバックライト装置と前記液晶表示部を覆う開閉自在な蓋体と、該蓋体の開成状態を検出するスイッチとを備え、前記蓋体が開成状態になると、前記液晶表示部をバックライト装置にて点灯開始させることで、暗い状況でも使用者は各種設定状況等の情報を使用前の段階から明瞭に視認できるため、操作を間違うことなく所望の操作を行うことができるので使い勝手を向上させることができる。
【０００７】
請求項２の発明では、前記液晶表示部がバックライト装置にて一定時間だけ点灯されると、前記バックライト装置をオフにするタイマーを備えているので、前記蓋体が開きっ放しの状態になってもバックライト点灯のための電力が節約でき、且つ、バックライトの長寿命化が図られる。
【０００８】
請求項３の発明では、前記開閉自在な蓋体の外面に少なくとも局部洗浄を指示する操作釦が配設された第１操作部と前記開閉自在な蓋体内の収納部に設けられた局部洗浄以外の機能の操作釦が配設された第２操作部とを備え、前記第１の操作部と第２の操作部を操作した場合では、前記液晶表示部の点灯状態とは、それぞれを異ならせたことで、使用者へ局部洗浄機能の操作とそれ以外の各種機能の設定操作をしたことを別々に報知することができるので、操作方法や使用頻度等の違いに応じて使い分けることができる。
【０００９】
請求項４の発明では、前記第二の操作部は、前記第一の操作部よりもバックライトの点灯時間を長くしたことをで、節電等の各種機能の詳細設定を行っている場合でも、入力内容を目視している最中にバックライトが消えるという不都合がなくなる。
【００１０】
請求項５の発明では、前記第一の操作部と第二の操作部ではバックライトの点灯色を異ならせたことで、局部洗浄操作とそれ以外の各種機能の設定操作をしたことを色の違いによって報知することができるので、各種機能の設定操作をしている場合は、使用者に局部洗浄の通常操作とは別操作を行っていることの意識付けを行うことができ、誤操作防止にも繋がる。
【００１１】
【発明の実施の形態】
図１に、本発明の実施例のリモコン装置１８を備えた局部洗浄装置１が示されている。局部洗浄装置１は便器８の上部に設置されており、局部洗浄装置１には便ふた駆動ユニット１２と便座駆動ユニット４が内蔵され、夫々便ふた１５、便座１０と連接され、夫々独立にあるいは同時に開または閉動作を行う。図中では便ふた１５は開状態であり、便座１０は閉状態にある。また、この局部洗浄装置１には使用者の局部を洗浄する機能も内蔵している。給水された水は分岐・バルブユニット５によって適度に減圧された後、熱交換ユニット６によって温水化しノズルユニット１１先端の洗浄穴より洗浄水を噴出させ、使用者の局部を洗浄する。また、使用者の存在を検出する為に、人体検知センサー２と着座検知センサー３をセンサー駆動ユニット９に備えている。使用者が局部を洗浄した後に局部を乾燥させる為に、乾燥ユニット１４を持ち、使用中の臭気を無臭化する為に脱臭ユニット１３を備えている。また、局部洗浄装置１の操作はトイレ壁に設置したリモコン装置１８にて行うが、局部洗浄装置１に付設された補助操作部７によって行っても良い。
【００１２】
図２にリモコン装置１８の（ａ）蓋を開いた状態での正面図、（ｂ）蓋を閉じた状態での正面図、側面図、背面図を示す。リモコン装置１８は、その表面側に蓋１９が設けられ、蓋１９の外面に操作釦が配設された第１操作部と、蓋１９内に操作釦が配設された第２操作部とを有する。第１操作部として、お尻１洗浄スイッチ１８ａ、お尻２洗浄スイッチ１８ｂ、ビデ洗浄スイッチ１８ｃ、止スイッチ１８ｄ、乾燥スイッチ１８ｗが設けられる。蓋１９により隠蔽される収容部に、第２操作部としてノズル洗浄用スイッチ１８ｅ、節電スイッチ１８ｆ、１８ｇ、洗浄水温調整スイッチ１８ｈ、室内暖房用スイッチ群１８ｉ、オート機能（自動洗浄、自動座蓋開閉等）用スイッチ群１８ｊの比較的使用頻度の少ないスイッチ群２０が設けられ、さらに収容部には液晶表示部２１を設ける。使用者の局部洗浄装置１への慣れ具合によっては使用頻度が比較的高いムーブ入切スイッチ１８ｋ、マッサージ入切スイッチ１８ｌ、強力脱臭入切スイッチ１８ｍ、流量調節スイッチ１８ｎ、ノズル位置調整スイッチ１８ｐのスイッチ群２２を蓋１９隠蔽時にも操作できるように開口群２３を設け、ＬＣＤ２１のうちスイッチ群２２に関する表示部が露出するよう開口部２４を設ける。
【００１３】
また、リモコン装置１８最上面に、便器洗浄スイッチ「流す大」１８ｑと便器洗浄スイッチ「流す小」１８ｒ（便器洗浄用操作部）、便座・便蓋閉止スイッチ１８ｓ、便座閉・便蓋開スイッチ１８ｔ、便座・便蓋開放スイッチ１８ｕ（座蓋開閉用スイッチ）が設けられている。このスイッチは、左側の便器洗浄スイッチ「流す大」は大便時の便器洗浄スイッチであり、「流す小」１８ｒは小用時の便器洗浄スイッチである。便器洗浄スイッチ１８ｑ，１８ｒの前面には、横長な突出部１８ｖが設けられていて、そこが操作スイッチであることが意匠的にわかるように配慮されている。なお、この便器洗浄スイッチ、座蓋開閉スイッチを設けず、局部洗浄装置１の動作のみを遠隔操作するスイッチのみを設けるようにしてもよい。
【００１４】
また、同図の便器洗浄スイッチ１８ｑ，１８ｒ及び座蓋開閉スイッチ１８ｓ〜１８ｕの直下に、図面左側から順に、「止スイッチ」１８ｄ、「おしり洗浄スイッチ（お尻１洗浄スイッチ）」１８ａ、「やわらか洗浄スイッチ（お尻２洗浄スイッチ）」１８ｂ、「ビデ洗浄スイッチ」１８ｃ、「乾燥スイッチ」１８ｗが並設されている。この部分は、局部洗浄装置の最もよく使用されるスイッチであるので、スイッチ釦の大きさを大きくし、わかりやすい絵文字表示としている。また、個々のスイッチ自体は四角形であり、リモコンの前面と略面一となる（蓋１９閉止時）形態なので、操作スイッチであることが意匠的にわかるよう、各スイッチの表面に小突起（止スイッチ）やエンボス加工（その他のスイッチの丸部分）を設けている。なお、便器洗浄スイッチ１８ｑ，１８ｒ及び座蓋開閉スイッチ１８ｓ〜１８ｕの裏側に３つの投光ＬＥＤを内蔵させて、便器洗浄スイッチ「流す大」１８ｑ及び便座・便蓋開放スイッチ１８ｕの側壁投光部及び便器洗浄スイッチ「流す小」１８ｒの前面投光部からＬＥＤの投光を行っている。
【００１５】
図３及び図４に、本発明の好適な実施の形態に係るＬＣＤ２１の概要を示す。（図３において、符号２１ａは、各種の表示を行うＬＣＤ本体であり、ＬＣＤ本体２１ａは、駆動電源２１ｂからの駆動電源を受けて各種の表示を行う。図３の例では、局部洗浄装置用リモコンの表示部に本発明が適用されているので、ＬＣＤ本体２１には「おしり洗浄　吐水温度３７℃」である旨が表示されている。
【００１６】
ＬＣＤ本体２１ａの裏面には、ＬＣＤ本体２１ａを照射するバックライト部２１ｃが配置されており、ＬＣＤ本体２１ａとバックライト部２１ｃを駆動するための駆動電源２１ｂ、制御信号を送るための制御部２１ｄを備えている。
【００１７】
図５は本発明の断面構成図である。
開閉自在な蓋体１９は、閉状態では蓋体１９に設けられた突起１９ａによってラバー１９ｂを押し、更に検出スイッチ１９ｃが押されて検出スイッチはＯＮ状態となっている。蓋体１９が開成状態になると、突起１９ａがラバー１９ｂから離れ、検出スイッチ１９ｃを押しているいるラバー１９ｂが弾性力で検出スイッチ１９ｃから離れ、検出スイッチがＯＦＦ状態となる。つまり、検出スイッチ１９ｃがＯＦＦ状態になると、蓋体１９が開成状態であると判断され、バックライト装置２１ｃが液晶表示部２１ａを照射する。また、バックライト装置が点灯開始し、ある一定時間、例えば５秒間経過するとタイマー回路にて自動で消灯する。
【図面の簡単な説明】
【図１】本発明の実施例であるリモコン装置を備えた局部洗浄装置を示す斜視図
【図２】リモコン装置１８の（ａ）蓋を開いた状態での正面図（ｂ）蓋を閉じた状態での正面図、側面図、背面図
【図３】本発明の好適な形態に係るＬＣＤの斜視図
【図４】図３のＢ−Ｂ断面図
【図５】本発明の断面構成図
【符号の説明】
１…局部洗浄装置
１８…リモコン（操作装置）
１９…蓋
１９ａ…突起
１９ｂ…ラバー
１９ｃ…蓋開閉状態検出スイッチ
２１…液晶表示部
２１…ＬＣＤ
２１ａ…ＬＣＤ本体
２１ｃ…バックライト部
２１ｂ…駆動電源
２１ｄ…制御信号を送るための制御
【図１】
2004116120.tif 000003
【図２】
2004116120.tif 000004
【図３】
2004116120.tif 000005
【図４】
2004116120.tif 000006
【図５】
2004116120.tif 000007